(57)【特許請求の範囲】
【請求項１】
分電盤に配置し、回路の遮断機構を収納する本体と、端子を配置する端子体とで構成され、前記端子に電線や導電バーが接続される回路遮断器の端子構造であって、前記端子体は底面部にねじを挿通する第一の固定溝を設け、前記端子体の前記本体への固定位置を前記第一の固定溝の範囲において変更可能とし、前記端子体は側面部にねじを挿通する第二の固定溝を設け、前記端子体の前記本体への取り付け高さを前記第二の固定溝の範囲において変更可能とし、前記端子体に設けられる前記端子のうち左右端部に位置する前記端子には第三の固定溝を設け、前記端子の前記端子体への取り付け幅を前記第三の固定溝の範囲において変更可能としたことを特徴とする回路遮断器の端子構造。
【請求項２】
分電盤に配置し、回路の遮断機構を収納する本体と、端子を配置する端子体とで構成され、前記端子に電線や導電バーが接続される回路遮断器の端子構造であって、前記本体と前記端子体のそれぞれ対向する位置にねじ穴を設け、ねじを挿通し締め付け前記本体に前記端子体を固定すると共に、前記ねじを回すことにより、前記本体と前記端子体とを接近させ前記回路遮断器の寸法を変更可能とし、前記端子のうち左右両端に位置するものには、前記回路遮断器の内側から外側に向けてねじを挿通すると共に、前記ねじを回すことにより、前記端子が互いに離れ端子間の距離を変更可能としたことを特徴とする回路遮断器の端子構造。
【発明の詳細な説明】
【技術分野】
【０００１】
本発明は、分電盤に配置し、回路の遮断機構を収納する本体と、端子を配置する端子体とで構成され、端子に電線や導電バーが接続される回路遮断器の端子構造に関するものである。
【背景技術】
【０００２】
回路遮断器３１の端子部３２は固定位置に設けられる。また、回路遮断器３１によって端子部３２の高さＡや端子３３間のピッチＢが異なり、分電盤に配置するときには、その回路遮断器３１の種類による寸法に合わせて接続バーを形成し、または電線等で機器配線をしていた。
【非特許文献１】２００５カワムラ総合カタログ電設資材編  平成１７年５月１日発行
【発明の開示】
【発明が解決しようとする課題】
【０００３】
しかしながら上記従来技術によれば、導電バー配線の場合、新機種の回路遮断器を用いようとすると導電バーも回路遮断器に合わせて製作しなくてはならなかった。また、回路遮断器の交換が困難で分電盤ごと交換しなくてはならない場合があった。回路遮断器の交換の際には回路遮断器に適合した導電バーを接続しなければならないと、部品管理にも手間がかかっていた。
【課題を解決するための手段】
【０００４】
そこで本発明は、簡単な構造で回路遮断器の入れ替えの際、回路遮断器の端子部の高さや端子間のピッチが容易に変更可能である回路遮断器の端子部構造を提供することを目的とし、その構造は、端子体は底面部にねじを挿通する第一の固定溝を設け、端子体の本体への固定位置を前記第一の固定溝の範囲において変更可能とし、端子体は側面部にねじを挿通する第二の固定溝を設け、端子体の本体への取り付け高さを第二の固定溝の範囲において変更可能とし、端子体に設けられる端子のうち左右端部に位置する端子には第三の固定溝を設け、端子の端子体への取り付け幅を第三の固定溝の範囲において変更可能としたことを特徴とする。
【０００５】
また、本体と端子体のそれぞれ対向する位置にねじ穴を設け、ねじを挿通し締め付け本体に端子体を固定すると共に、ねじを回すことにより、本体と前記端子体とを接近させ回路遮断器の寸法を変更可能とし、端子のうち左右両端に位置するものには、回路遮断器の内側から外側に向けてねじを挿通すると共に、ねじを回すことにより、端子が互いに離れ端子間の距離を変更可能としたことを特徴とする。
【発明の効果】
【０００６】
本発明に係る回路遮断器の端子部構造は、端子体は底面部にねじを挿通する第一の固定溝を設け、端子体の本体への固定位置を前記第一の固定溝の範囲において変更可能とし、端子は側面部にねじを挿通する第二の固定溝を設け、端子体の本体への取り付け高さを第二の固定溝の範囲において変更可能とし、端子体に設けられる端子のうち左右端部に位置する端子には第三の固定溝を設け、端子の端子体への取り付け幅を第三の固定溝の範囲において変更可能としたため、既存の分電盤の回路遮断器の入れ替えの時、導電バーを変えずに導電バーに合わせて回路遮断器の端子部の位置が変更可能である。
【０００７】
また、本体と端子体のそれぞれ対向する位置にねじ穴を設け、ねじを挿通し締め付け本体に端子体を固定すると共に、ねじを回すことにより、本体と前記端子体とを接近させ回路遮断器の寸法を変更可能とし、端子のうち左右両端に位置するものには、回路遮断器の内側から外側に向けてねじを挿通すると共に、ねじを回すことにより、端子が互いに離れ端子間の距離を変更可能としたため、既存の分電盤の回路遮断器の入れ替えの時、導電バーを変えずに導電バーに合わせて回路遮断器の端子部の位置が変更可能である。
【発明を実施するための最良の形態】
【０００８】
回路遮断器の端子部は可変であるため、既存の分電盤の回路遮断器を入れ替えたい場合にも、導電バーを変更することなく、作業できる。
【実施例１】
【０００９】
本発明に係る回路遮断器の端子構造を図１の添付図面に基づいて説明する。
【００１０】
回路遮断器１は回路機構を収納した本体２と、端子３が配列され本体２の両端に取り付けられる端子体４とから構成される。端子体４は、本体２の底面裏側でねじ５で固定され本体２に取り付けられる。本体２の底面裏側には、第一の固定溝６を形成し、固定溝６にねじ５を挿通し、締め付けることで本体２に端子体４を取り付ける。端子体４の固定位置は、固定溝６の範囲内で変更可能であり、図１における矢印Ｚ方向の寸法を変更することができる。
【００１１】
端子体４の本体側側面には高さ方向に伸びる第二の固定溝７を形成する。端子体４の側面からねじ８を固定溝７に挿通し、締め付けることで本体２に端子体４を取り付ける。端子体４の固定位置は、固定溝７の範囲内で変更可能であり、図１における矢印Ｙ方向の寸法を変更することができる。
【００１２】
端子体４には三つの端子３が設けられる。左右両端に設けられた端子３ａ、３ｂを固定するための、水平方向に伸びる第三の固定溝９を設ける。端子体４の側面から第三の固定溝９にねじ１０を挿通し、ねじ１０を締め付けることで端子体４に端子３を固定する。端子３ａ、３ｂの固定位置は固定溝９の範囲内で変更可能であり、図１における矢印Ｘ方向へ移動させることができ、端子３間の距離を変更することができる。
【００１３】
回路遮断器１は分電盤に組み込み、電線や導電バー等で配線される。既存の分電盤の回路遮断器１を交換するようなときには、既に配線されている電線や導電バーの位置に合わせて回路遮断器１の寸法や端子位置を変更し、電線や導電バーを変えることなく置き換えることができる。
【実施例２】
【００１４】
本発明に係る回路遮断器の端子構造を図２の添付図面に基づいて説明する。
【００１５】
回路遮断器１１の本体１２と端子体１３はそれぞれねじ１４により固定する。ねじ１４を挿通し締め付け本体１２に端子体１３を固定して、回路遮断器１１を構成する。このとき、ねじ１４を回すことにより、端子体１３が本体１２に接近し、回路遮断器１１の寸法を変更可能としている。また、端子１５のうち左右両端に位置するものには、回路遮断器１１の外側から内側に向けてねじ１６を挿通して固定させる。ねじ１６を回すことにより、端子１５が互いに離れ、またねじ１６を緩めることにより端子１５が互いに接近し、端子１５間の距離を変更可能としている。
【００１６】
回路遮断器１１は分電盤に組み込み、電線や導電バー等で配線される。既存の分電盤の回路遮断器１１を交換するようなときには、既に配線されている電線や導電バーの位置に合わせて回路遮断器１１の寸法や端子位置を変更し、電線や導電バーを変えることなく置き換えることができる。
【産業上の利用可能性】
【００１７】
回路遮断器は、端子の位置を固定溝の範囲内で変更することができるため、既存の分電盤に組み込まれている回路遮断器を交換するときには、電線や導電バーを変えることなく回路遮断器のみの置き換えが可能で、古い型の分電盤等への用途にも適用できる。
【図面の簡単な説明】
【００１８】
【図１】回路遮断器の端子構造を示す説明図である。（実施例１）
【図２】回路遮断器の端子構造を示す説明図である。（実施例２）
【図３】従来の回路遮断器の端子構造を示す説明図である。
【符号の説明】
【００１９】
１    回路遮断器
２    本体
３    端子
４    端子体
５    ねじ
６    第一の固定溝
７    第二の固定溝
８    ねじ
９    第三の固定溝
１０  ねじ
１１  回路遮断器
１２  本体
１３  端子体
１４  ねじ
１５  端子
１６  ねじ
【図１】
0004730950.tif 000002
【図２】
0004730950.tif 000003
【図３】
0004730950.tif 000004